(57)【要約】      （修正有）【課題】ワンウェイ方式でＯＡローラを輸送する場合の梱包コストを安価にし、さらに、収納したＯＡローラの取り出しを容易にし得るＯＡローラ用梱包容器を提供する。【解決手段】段ボールにより全体が一体的に形成された組立て式容器であって、二対の立設部３Ａ，３Ｂ、４Ａ，４Ｂのうちいずれか一対の立設部４Ａ，４Ｂに、ＯＡローラの軸保持部５，７を備え、底部に、ＯＡローラの軸を保持するための溝を有する切起し部が形成され、一対の立設部のうち少なくとも一方の立設部４ＡのＯＡローラの軸保持部が、切起し部を立設して形成された切起し軸保持部７であるＯＡローラ用梱包容器である。【選択図】図１
2009298416.tif 000002
【特許請求の範囲】
【請求項１】
矩形状の底部と、その周囲に設けられた互いに対向する二対の立設部とからなる箱体形状を有するＯＡローラ用梱包容器において、
段ボールにより全体が一体的に形成された組立て式容器であって、
前記二対の立設部のうちいずれか一対の立設部に、ＯＡローラの軸保持部を備え、
前記底部に、ＯＡローラの軸を保持するための溝を有する切起し部が形成され、
該一対の立設部のうち少なくとも一方の立設部のＯＡローラの軸保持部が、前記切起し部を立設して形成された切起し軸保持部であることを特徴とするＯＡローラ用梱包容器。
【請求項２】
前記切起し軸保持部の溝の開口部を閉塞する蓋部材を有する請求項１記載のＯＡローラ用梱包容器。
【請求項３】
前記蓋部材が、前記切起し軸保持部を有する立設部の側面上部を屈曲して、前記溝の開口部の上部に延在して形成されてなる第一蓋片を有し、該第一蓋片で前記溝の開口部を閉塞する請求項２記載のＯＡローラ用梱包容器。
【請求項４】
前記蓋部材が、前記溝の開口部の上部から梱包容器内側に延在した第一蓋片部と、
該第一蓋片に連接され、前記切起し軸保持部に向けて屈曲した第二蓋片部と、
さらに、該第二蓋片に連接され、先端を前記底面に向けて屈曲して前記切起し軸保持部を押さえた保持片部と、を有する請求項３記載のＯＡローラ用梱包容器。
【請求項５】
前記溝の開口部の上部から延在してなる前記蓋部材の両側に突起部を有し、ＯＡローラの軸保持部を備えていない一対の立設部の梱包容器内側上端部に、前記突起部と嵌合する切欠き部を有する請求項２〜４のうちいずれか一項記載のＯＡローラ用梱包容器。
【請求項６】
前記底部に複数の前記切起し部が形成され、該切起し部同士の間にリブ部を有する請求項１〜５のうちいずれか一項記載のＯＡローラ用梱包容器。
【請求項７】
前記一方の立設部と対向する立設部の軸保持部が、略円形の切欠き孔からなる請求項１〜６のうちいずれか一項記載のＯＡローラ用梱包容器。
【請求項８】
前記切欠き孔が、一部不連続の円形切断部により形成される請求項７記載のＯＡローラ用梱包容器。
【発明の詳細な説明】
【技術分野】
【０００１】
本発明は、ＯＡローラ用梱包容器（以下、単に「梱包容器」とも称する）に関し、詳しくは、ＯＡローラを輸送する際に用いられるＯＡローラ用梱包容器に関する。
【背景技術】
【０００２】
複写機やファックス等の各種ＯＡ機器に使用されるＯＡローラは、表面に機能層を備えることから、他物との接触を極端に嫌う。そのため、ＯＡローラを輸送する際には、機能層表面への他物の接触を避けるために、ローラ端の軸部のみを保持し、ローラ本体部が中空に浮いた状態で収納できる梱包容器が使用されている。
【０００３】
従来、ＯＡローラを輸送する際には、ポリプロピレン（ＰＰ）や塩化ビニル、耐衝撃性ポリスチレン等の合成樹脂製の容器が用いられていた。また、感光体用の梱包技術として、感光体を両端で支持する合成樹脂製の保護容器や（特許文献１参照）、感光体表面に保護シートを巻き付けた上で、間仕切りによって形成される空間に挿入して固定する梱包方法が知られている（特許文献２参照）。
【特許文献１】特開２００１−３３９８９号公報（特許請求の範囲等）
【特許文献２】特開平１０−５５０８３号公報（特許請求の範囲等）
【発明の開示】
【発明が解決しようとする課題】
【０００４】
しかしながら、従来使用されている合成樹脂製の容器は高価であり、ワンウェイ方式でＯＡローラの輸送を行う場合、ローラ１本当たり５〜６円の輸送コストがかかることとなっていた。また、特許文献１に記載されている技術では、ＯＡローラの軸端部を溝内で保持しており、梱包容器が合成樹脂等で作製されているため、取り出し時に端部を握りにくく、その改良が望まれていた。
【０００５】
これに対し、特許文献２に開示されている技術では、表面保護のための保護シートの巻付けが必須であるため、やはり輸送コスト増が避けられなかった。また、いったん保護シートを巻付けてから容器内に収納する作業が必要となるため、梱包作業性の点でも問題を有するものであった。さらに、取り出した後に保護シートを除去する必要があり、工数が増えるためコスト増が避けられなかった。
【０００６】
そこで本発明の目的は、ワンウェイ方式でＯＡローラを輸送する場合の梱包コストを安価にし得るＯＡローラ用梱包容器を提供することにある。さらに、収納したＯＡローラの取り出しを容易にし得るＯＡローラ用梱包容器を提供することにある。ただし、リターナブル（通い容器）方式で利用してもよい。
【課題を解決するための手段】
【０００７】
本発明者らは、前記課題を解決するために鋭意検討した結果、梱包容器の容器材質として段ボールを用いるとともに、全体が一体的に形成された特定の組立て式の容器構造を採用することで、上記課題を解決できることを見出して、本発明を完成するに至った。
【０００８】
すなわち、本発明のＯＡローラ用梱包容器は、矩形状の底部と、その周囲に設けられた互いに対向する二対の立設部とからなる箱体形状を有するＯＡローラ用梱包容器において、
段ボールにより全体が一体的に形成された組立て式容器であって、
前記二対の立設部のうちいずれか一対の立設部に、ＯＡローラの軸保持部を備え、
前記底部に、ＯＡローラの軸を保持するための溝を有する切起し部が形成され、
該一対の立設部のうち少なくとも一方の立設部のＯＡローラの軸保持部が、前記切起し部を立設して形成された切起し軸保持部であることを特徴とする。
【０００９】
また、本発明のＯＡローラ用梱包容器は、前記切起し軸保持部の溝の開口部を閉塞する蓋部材を有することが好ましく、前記蓋部材が、前記切起し軸保持部を有する立設部の側面上部を屈曲して、前記溝の開口部の上部に延在して形成されてなる第一蓋片を有し、該第一蓋片で前記溝の開口部を閉塞することが好ましい。さらにまた、前記蓋部材が、前記溝の開口部の上部から梱包容器内側に延在した第一蓋片部と、該第一蓋片に連接され、前記切起し軸保持部に向けて屈曲した第二蓋片部と、さらに、該第二蓋片に連接され、先端を前記底面に向けて屈曲して前記切起し軸保持部を押さえた保持片部と、を有することが好ましい。
【００１０】
さらに、本発明のＯＡローラ用梱包容器は、前記溝の開口部の上部から延在してなる前記蓋部材の両側に突起部を有し、ＯＡローラの軸保持部を備えていない一対の立設部の梱包容器内側上端部に、前記突起部と嵌合する切欠き部を有することが好ましく、前記底部に複数の前記切起し部が形成され、該切起し部同士の間にリブ部を有することが好ましい。
【００１１】
さらにまた、本発明のＯＡローラ用梱包容器は、前記軸保持部は、略円形の切欠き孔からなるものとすることが好ましく、前記切欠き孔は、一部不連続の円形切断部により形成することができる。
【発明の効果】
【００１２】
本発明のＯＡローラ用梱包容器によれば、容器材質として段ボールを用いた特定構造としたことで、材料コストを安価にすることができ、容器が軽量であってワンウェイ方式で使い捨てする場合の輸送コストを大幅に低減することが可能となった。また、切起し軸保持部に溝を形成したことで、収納したＯＡローラの取り出しを容易にでき、さらに、組み込み時の段ボールの変形を抑止し、ローラ表面と他物との接触を回避できる。さらにまた、従来のような保護シートの併用等が不要であるため、作業性も良好である。また、本発明の梱包容器は、一体形成された組立て式容器であるため、製造が容易であるというメリットも有する。
【発明を実施するための最良の形態】
【００１３】
以下、本発明の好適実施形態について、図面を参照しつつ詳細に説明する。
図１は、本発明の一実施の形態に係るＯＡローラ用梱包容器を示す斜視図である。本発明のＯＡローラ用梱包容器１は、矩形状の底部２と、その周囲に設けられた互いに対向する二対の立設部３Ａ，３Ｂ、４Ａ，４Ｂとからなる箱体形状であり、段ボールにより全体が一体的に形成された組立て式容器である。また、二対の立設部３Ａ，３Ｂ、４Ａ，４Ｂのうちいずれか一対の立設部４Ａ，４Ｂに、それぞれＯＡローラ３０の軸保持部５，７を備えている。
【００１４】
図２は、図１に示す梱包容器の切起し部を切り起こす前の状態を示す斜視図であり、図３は、図１に示す梱包容器の切起し部を切り起した後の状態を示す斜視図である。また、図４は、図１に示す梱包容器の見る角度を変えた斜視図である。底部２に、ＯＡローラ３０の軸を保持するための溝８を有する切起し部７ａが形成され（図２参照）、一対の立設部４Ａ，４Ｂのうち少なくとも一方の立設部４ＡのＯＡローラ３０の軸保持部として、切起し部７ａを立設して形成された切起し軸保持部７が設けられている（図３参照）。また、切起し軸保持部７は、端部において他方の立設部３Ａ，３Ｂの切り込みに嵌合させて立設状態を保持することができる。さらに、それぞれの立設部３Ａ，３Ｂ、４Ａ，４Ｂ（蓋部材１０等）は、リード罫１５により容易に屈曲することができる。
【００１５】
切起し軸保持部７は、切起し部７ａを立設して形成したものであるため溝８を有し、この溝８にＯＡローラ３０の軸を挿入して保持する。また、かかる溝８は、略Ｕ字状を呈しており、上部に開口部８ａを有し、下部にＯＡローラ３０の軸を係止する係止部８ｂが形成されている。さらに、開口部８ａから係止部８ｂにかけて、ＯＡローラ３０の軸の挿脱を容易にするために、テーパ状に形成することが好ましい。かかる切起し軸保持部７を有することにより、収納したＯＡローラ３０の取り出しを容易にでき、さらに、組み込み時の段ボールの変形を抑止し、ローラ表面と他物との接触を回避でき、従来のような保護シートの併用等が不要であるため、作業性も良好となる。また、本発明の梱包容器１は、一体形成された組立て式容器であるため、製造が容易であるというメリットも有する。
【００１６】
また、図１に示すように、軸保持部５と切起し軸保持部７により、ローラ３０を宙に浮かせた状態で、ＯＡローラ３０の軸を保持することができる。このため、機能層の形成されたＯＡローラ３０表面と梱包容器１との接触を容易に防止することが可能となる。
【００１７】
さらに、本発明の梱包容器１は、底部２に複数の切起し部７ａが形成され、切起し部７ａ同士の間にリブ部９を有することが好ましい。切起し部７ａ同士の間にリブ部９を設けることにより、梱包容器１の強度低下を防止することができる。
【００１８】
本発明の梱包容器１は、一対の立設部４Ａ，４Ｂのうち少なくとも一方の立設部４ＡのＯＡローラ３０の軸保持部として、切起し軸保持部７が設けられていればよく、両方の立設部４Ａ，４Ｂに切起し軸保持部７が設けられていてもよい。また、一方の立設部４Ａのみに切起し軸保持部７が設けられている場合の他の立設部４ＢのＯＡローラ３０の軸保持部として、ＯＡローラ３０の軸を保持でき、本発明の所期の効果が得られればその形状は特に限定されないが、スリット形状または切欠き孔であることが好ましい。さらに、一対の立設部４Ａ，４Ｂの軸保持部は、梱包容器１あたりのローラの収納数に応じた数で、互いに対向する位置に形成されている。
【００１９】
図５は、ＯＡローラの軸保持部の拡大図であり、略円形の切欠き孔からなるものである。略円形の切欠き孔６により軸保持部５を構成することで、ＯＡローラ３０の軸の拘束力を高めることができる。さらに、図６は、ＯＡローラの軸保持部の拡大図であり、スリット形状からなるものである。スリット６ａを設けることで、このスリット６ａを介してＯＡローラ３０の軸を軸保持部まで誘導することができるので、梱包容器への組み込み時における立設部の変形を抑止することができる。
【００２０】
また、本発明において、かかる略円形の切欠き孔は、図５，６に示すような一部不連続の円形切断部により形成することが好ましい。すなわち、このような一部不連続の円形切断部を設けておき、ＯＡローラ３０を組み込む際に折曲部を折り曲げることで、略円形の切欠き孔６からなる軸保持部を形成することができる。なお、略円形の切欠き孔６のみの場合、一部不連続部分の位置は、上下左右等特に限定されない。軸保持部５をこのように形成することで、切欠き孔６部分の段ボール片が梱包容器本体に保持されることとなる。そのため、完全打ち抜きにより切欠き孔を形成した場合には避けられない段ボール片の発生の問題を解消して、段ボール片の除去の手間をなくすとともに、ＯＡローラ３０への段ボール片の付着防止効果を向上することができる。
【００２１】
本発明の梱包容器１は、切起し軸保持部７の溝８の開口部８ａを閉塞する蓋部材１０を有することが好ましい。これにより、ＯＡローラ３０搬送時に、梱包容器１からのＯＡローラ３０の脱落を防止でき、さらに切起し軸保持部７を有する立設部の強度を高めることができる。
【００２２】
また、本発明の梱包容器１は、蓋部材１０が、切起し軸保持部７を有する立設部の側面１２上部を屈曲して、溝８の開口部８ａの上部に延在して形成されてなる第一蓋片部１３を有し、第一蓋片部１３で溝８の開口部８ａを閉塞することが好ましい。かかる蓋部材１０は、梱包容器１と一体的に形成されたものであり、コストを低減することができる。
【００２３】
さらに、本発明の梱包容器１は、蓋部材１０が、溝８の開口部８ａの上部から梱包容器１内側に延在した第一蓋片部１３と、第一蓋片部１３に連接され、切起し軸保持部７に向けて屈曲した第二蓋片部１４と、さらに、第二蓋片部１４に連接され、先端を底面２に向けて屈曲して切起し軸保持部７を押さえた保持片部１１と、を有することが好ましい。第一蓋片部１３と第二蓋片部１４を重ねたことによる力を保持片部１１に作用させることで、切起し軸保持部７を固定でき、ＯＡローラ３０搬送時のＯＡローラ３０のガタツキを防止できる。
【００２４】
また、本発明の梱包容器１は、溝８の開口部８ａの上部から延在してなる蓋部材１０の両側に突起部１６を有し、ＯＡローラ３０の軸保持部を備えていない一対の立設部３Ａ，３Ｂの梱包容器内側上端部に、突起部１６と嵌合する切欠き部１７を有することが好ましい。これにより、蓋部材１０を梱包容器１に固定でき、ＯＡローラ３０搬送時のＯＡローラ３０のガタツキをより防止できる。
【００２５】
さらに、本発明の梱包容器１は、軸保持部６を設けた立設部４Ｂ近傍の底部２に、梱包容器１の形状を保持する少なくとも１以上の底部の開孔部２０を有することが好ましく、底部の開孔部２０は、立設部４Ｂ近傍の底部２の略中央部分に穿孔されていることが好ましい。さらにまた、立設部４Ｂの内側下部に突起部を設け、該突起部を底部の開孔部２０に挿入して固定することが好ましい。
【００２６】
上記底部の開孔部２０の大きさとしては特に限定されないが、横３００ｍｍ、縦２５０ｍｍ、高さ３５ｍｍ程度の形状を有する容器において、横４０ｍｍ、縦１０ｍｍ程度の開孔であることが好ましい。また、立設部４Ｂの内側下部の突起部の大きさは、底部の開孔部２０の大きさにあわせて適宜調整することが好ましい。かかる底部の開孔部２０および突起部を有することで、軸保持部６を設けた立設部４Ｂ近傍の底部２が中央で反る、または製品端部と壁が干渉するという問題も回避できる。
【００２７】
さらに、図示する梱包容器１において、軸保持部を有しない立設部３Ａ，３Ｂの上面には、把手部の開口部１９を有する一対の把手部１８が形成されていることが好ましい。かかる把手部１８を設けることで、把手部の開口部１９に指を入れて梱包容器１を容易に持ち運びすることが可能となり、輸送や収納面での利便性を高めることができる。
【００２８】
また、本発明の梱包容器１においては、二対の立設部３Ａ，３Ｂ、４Ａ，４Ｂのうちのいずれか一対４Ａ，４Ｂが、他方３Ａ，３Ｂよりも高く形成されていることが好ましい。このように、梱包容器１の外周部全てを同じ高さにせず、立設部の高さに差を設けることで、梱包用器１を積み重ねた際における、上部に載置した容器の裏面と、下部に載置した容器内のＯＡローラ３０とのクリアランスを容易に確保するなど他の物との接触を回避することができ、ＯＡローラ３０表面の傷つきを防止することができるとともに、使用する段ボール量（使用量）を減少することが可能となる。これにより、さらなるコストダウンを図ることができ、また、環境性にも優れるものとなる。なお、この立設部の高さの差ｔは、特に制限はないが、例えば、１〜１０ｍｍ程度とすることができる。
【００２９】
本発明の梱包容器１は、段ボールのプレス打ち抜き等により一体的に形成することができる。使用する段ボールについては、いかなるものであってもよいが、軽量性や加工性の観点からは、中芯が１層のみである薄いものを用いることが好ましい。
【００３０】
図７は、図１等に示す梱包容器の組立て前の状態を示す平面図である。図示する梱包容器の矩形状の底部１周囲には、互いに対向する二対の立設部３Ａ，３Ｂ、および４Ａ，４Ｂ（蓋部材１０）が一体的に形成されており、立設部３Ａ，３Ｂ、および４Ａ，４Ｂ（蓋部材１０）には、箱状体を形成さす際に容易に屈曲することができるリード罫１５が設けられている。これらリード罫１５を内側に屈曲することにより、図１等に示す立設部３Ａ、３Ｂ、４Ａ、４Ｂ（蓋部材１０）が形成され、全体として薄底トレー状を呈する箱体形状の梱包容器が形成される。
【００３１】
また、矩形状の底部２には、複数の切起し部７ａが形成され、切起し部７ａ同士の間にリブ部９が形成されている。図３に示すように、かかる切起し部７ａは、立設して切起し軸保持部７を形成し、蓋部材１０により溝８が閉塞される。さらに、軸保持部５を設けた立設部４Ｂ近傍の底部２の略中央部分には底部の開孔部２０を有し、立設部４Ｂの内側下部の突起部２１を底部の開孔部２０に挿入して固定することができる。
【００３２】
図８および９は、蓋部材の屈曲状態を示す断面図である。また、図１０は、ローラを装着した状態の断面図である。これら図８〜図１０に基づき、本発明の梱包容器１にＯＡローラ３０を装着させ、蓋部材１０によりＯＡローラ３０の軸を保持するとともに、蓋部材１０の保持片部１１の先端部分にてローラ３０の軸３１ｂを保持しながら、切り起し部７の立設状態を保持する方法を説明する。
【００３３】
先ず図８（ａ）に示すように、切起し軸保持部７および蓋部材１０を底部２から立設させた状態で、ＯＡローラ３０の一方の軸３１ａをやや斜め方向から軸保持部５の切欠き孔６内に挿入する。その後、ＯＡローラ３０を水平状態に戻しながら、ＯＡローラ３０の他方の軸３１ｂを溝８の開口部８ａから挿入し、係止部８ｂに係止させる。
【００３４】
次に、図８（ｂ）に示すように、立設部の側面１２の上部をリード罫１５部分で屈曲して第一蓋片部１３を作製し、さらに内側に屈曲して第二蓋片部１４、外側に屈曲して保持片部１１を作製する。さらに、図８（ｃ）に示すように、第二蓋片部１４を第一蓋片部１３側に深く屈曲する。
【００３５】
第二蓋片部１４を第一蓋片部１３側に深く屈曲した状態で、図９（ａ）に示すように、第一蓋片部１３をローラ側に深く屈曲する。この状態で、保持片部１１の先端部分が切起し軸保持部７に接触している。さらに、図９（ｂ）に示すように、第一蓋片部１３を水平状態になるようにローラ３０側に深く屈曲し、第二蓋片部１４を切起し軸保持部７に向けて屈曲し、保持片部１１の先端を底面２に向けて屈曲して、切起し軸保持部７を保持片部１１で押えて固定する。さらにまた、突起部１６を切欠き部１７に係止させる。
【００３６】
これにより、図９（ｂ）および図１０に示すように、保持片部１１の先端部分がＯＡローラ３０の軸３１ｂを保持してＯＡローラ３０のガタツキを防止する。また、この際、保持片部１１により切起し軸保持部７が押圧された状態となり、切起し軸保持部７の立設状態を保持することができる。さらに、立設部の側面１２の屈曲に際し、リード罫１５は屈曲する側に形成されているため、保持片部１１の外側方向への反発力により、切起し軸保持部７への押圧力が向上する。さらにまた、上述の逆の方法を行うことで、梱包容器１からＯＡローラ３０を容易に取り出すことができる。
【００３７】
本発明の梱包容器１は、例えば、複数本のＯＡローラ３０を収納した梱包容器１を平状でパレットに載せた状態（図１１参照）、あるいは、複数本のＯＡローラ３０を収納した梱包容器１を複数段積み重ねて収納した外箱をパレットに載せた状態（図１２参照）等、いかなる搬送形態に適用することも可能である。
【実施例】
【００３８】
以下、本発明を、実施例を用いてより詳細に説明する。
（実施例）
図１に示すような箱体形状を有するＯＡローラ用梱包容器を、段ボール（Ｋ５Ｗ）により製造した。１容器あたりのＯＡローラの収納本数は１５本とした。
【００３９】
（比較例）
１容器あたりのＯＡローラの収納本数が１５本である従来の梱包容器を、ポリプロピレン（ＰＰ）により製造した。
【００４０】
実施例および比較例の各梱包容器を用いてＯＡローラを輸送した際の輸送コストを試算した結果を、下記の表中に示す。
【００４１】
【表１】
2009298416.tif 000003
【００４２】
上記表中に示すように、本発明に係る実施例の梱包容器によれば、従来の合成樹脂製梱包容器に比し、大幅なコスト削減が図れることが明らかである。
【図面の簡単な説明】
【００４３】
【図１】本発明の一実施の形態に係るＯＡローラ用梱包容器を示す斜視図である。
【図２】図１に示す梱包容器の切起し部を切り起こす前の状態を示す斜視図である。
【図３】図１に示す梱包容器の切起し部を切り起した後の状態を示す斜視図である。
【図４】図１に示す梱包容器の見る角度を変えた斜視図である。
【図５】立設部を示す拡大図である。
【図６】立設部を示す拡大図である。
【図７】図１に示す梱包容器の組立て前の状態を示す平面図である。
【図８】蓋部材の屈曲状態を示す断面図である。
【図９】蓋部材の屈曲状態を示す断面図である。
【図１０】ローラを装着した状態の断面図である。
【図１１】本発明の梱包容器の搬送形態の一例を示す平面図である。
【図１２】本発明の梱包容器の搬送形態の他の例を示す平面図である。
【符号の説明】
【００４４】
１  ＯＡローラ用梱包容器
２  底部
３Ａ，３Ｂ、４Ａ，４Ｂ  立設部
５  軸保持部
６  切欠き孔
６ａ  スリット
７  切起し軸保持部
７ａ  切起し部
８  溝
８ａ  開口部
８ｂ  係止部
９  リブ部
１０  蓋部材
１１  保持片部
１２  立設部の側面
１３  第一蓋片部
１４  第二蓋片部
１５  リード罫
１６  突起部
１７  切欠き部
１８  把手部
１９  把手部の開口部
２０  底部の開孔部
２１  突起部
３０  ＯＡローラ
３１ａ，ｂ  ローラの軸
【図１】
2009298416.tif 000004
【図２】
2009298416.tif 000005
【図３】
2009298416.tif 000006
【図４】
2009298416.tif 000007
【図５】
2009298416.tif 000008
【図６】
2009298416.tif 000009
【図７】
2009298416.tif 000010
【図８】
2009298416.tif 000011
【図９】
2009298416.tif 000012
【図１０】
2009298416.tif 000013
【図１１】
2009298416.tif 000014
【図１２】
2009298416.tif 000015